【手続補正書】
【提出日】平成31年2月7日(2019.2.7)
【手続補正１】
【補正対象書類名】特許請求の範囲
【補正対象項目名】全文
【補正方法】変更
【補正の内容】
【特許請求の範囲】
【請求項１】
ビデオデータをパレット符号化する方法であって、
複数の主色のそれぞれの色に対応する複数のカラーインデックスを含むパレットテーブルを作り出すステップと、
前記ビデオデータの画素の色が主色と関連付けられていない場合、前記パレットテーブルにおけるカラーインデックスに前記画素をマッピングし、および前記ビデオデータの前記画素の前記色が主色と関連付けられていない場合、エスケープカラーインデックスに前記画素をマッピングする、パレットインデックスマップを作成するステップと、
前記パレットインデックスマップに基づいて、パレットインデックス予測データを生成するステップであって、前記パレットインデックス予測データは、前記パレットインデックスマップの少なくとも一部についてのインデックス値とランバリューを関連付けるランバリューデータを含み、前記ランバリューデータの少なくとも１つのランバリューは、前記エスケープカラーインデックスと関連付けられている、ステップと
を備えたことを特徴とする方法。
【請求項２】
前記エスケープカラーインデックスは、前記パレットテーブルの前記複数のカラーインデックスの最大カラーインデックスよりも大きいことを特徴とする請求項１に記載の方法。
【請求項３】
前記エスケープカラーインデックスは、前記パレットテーブルのサイズに対応することを特徴とする請求項１に記載の方法。
【請求項４】
前記少なくとも１つのランバリューは、ランモードにおいて符号化されることになる連続した画素の数を示し、前記連続した画素の少なくとも１つの画素は、前記エスケープカラーインデックスを使用して符号化されていることを特徴とする請求項１に記載の方法。
【請求項５】
前記少なくとも１つのランバリューは、コピーモードにおいて符号化されることになる連続した画素の数を示し、前記連続した画素の少なくとも１つの画素は、前記エスケープカラーインデックスを使用して符号化されていることを特徴とする請求項１に記載の方法。
【請求項６】
前記少なくとも１つのランバリューは、連続した画素の数を示し、前記連続した画素の少なくとも１つの画素は、前記エスケープカラーインデックスを使用して符号化され、エスケープカラー値は、前記連続した画素の前記少なくとも１つの画素の各々について符号化されていることを特徴とする請求項１に記載の方法。
【請求項７】
デコーダに、前記パレットテーブルおよび前記パレットインデックス予測データを送信するステップをさらに備えたことを特徴とする請求項１に記載の方法。
【請求項８】
ビデオデータをパレット符号化するビデオ符号化デバイスであって、前記ビデオ符号化デバイスは、
複数の主色のそれぞれの色に対応する複数のカラーインデックスを含むパレットテーブルを作り出し、
前記ビデオデータの画素の色が主色と関連付けられている場合、前記パレットテーブルにおけるカラーインデックスに前記画素をマッピングし、および前記ビデオデータの前記画素の前記色が主色と関連付けられていない場合、エスケープカラーインデックスに前記画素をマッピングする、パレットインデックスマップを作成し、
前記パレットインデックスマップに基づいて、パレットインデックス予測データを生成し、前記パレットインデックス予測データは、前記パレットインデックスマップの少なくとも一部についてのインデックス値とランバリューを関連付けるランバリューデータを含み、前記ランバリューデータの少なくとも１つのランバリューは、前記エスケープカラーインデックスと関連付けられている、
プロセッサを備えたことを特徴とするビデオ符号化デバイス。
【請求項９】
前記エスケープカラーインデックスは、前記パレットテーブルの前記複数のカラーインデックスの最大カラーインデックスよりも大きいことを特徴とする請求項８に記載のビデオ符号化デバイス。
【請求項１０】
前記エスケープカラーインデックスは、前記パレットテーブルのサイズに対応することを特徴とする請求項８に記載のビデオ符号化デバイス。
【請求項１１】
前記少なくとも１つのランバリューは、ランモードにおいて符号化されることになる連続した画素の数を示し、前記連続した画素の少なくとも１つの画素は、前記エスケープカラーインデックスを使用して符号化されていることを特徴とする請求項８に記載のビデオ符号化デバイス。
【請求項１２】
前記少なくとも１つのランバリューは、コピーモードにおいて符号化されることになる連続した画素の数を示し、前記連続した画素の少なくとも１つの画素は、前記エスケープカラーインデックスを使用して符号化されていることを特徴とする請求項８に記載のビデオ符号化デバイス。
【請求項１３】
前記少なくとも１つのランバリューは、連続した画素の数を示し、前記連続した画素の少なくとも１つの画素は、前記エスケープカラーインデックスを使用して符号化され、エスケープカラー値は、前記連続した画素の前記少なくとも１つの画素の各々について符号化されていることを特徴とする請求項８に記載のビデオ符号化デバイス。
【請求項１４】
前記プロセッサは、デコーダに、前記パレットテーブルおよび前記パレットインデックス予測データを送信することを特徴とする請求項８に記載のビデオ符号化デバイス。
【請求項１５】
ビデオデータをパレット復号する方法であって、
複数の色のそれぞれの色に対応する複数のカラーインデックスを含むパレットテーブルを受信するステップと、
パレットインデックスマップパラメータを受信するステップであって、前記パレットインデックスマップパラメータは、エスケープカラーモードに符号化ユニットの１つまたは複数の画素をマッピングするエスケープカラーインデックスを含む、一連のカラーインデックスを表す、ステップと、
前記パレットインデックスマップパラメータに基づいて、パレットインデックスマップによって前記エスケープカラーモードにマッピングされた前記符号化ユニットの前記１つまたは複数の画素を決定するステップと、
前記符号化ユニットについての前記パレットインデックスマップパラメータを受信した後、前記エスケープカラーモードにマッピングされた前記符号化ユニットの前記１つまたは複数の画素についての少なくとも１つのエスケープカラー値を示すエスケープカラーパラメータを受信するステップと、
前記受信されたパレットインデックスマップパラメータおよび前記受信されたエスケープカラーパラメータに基づいて、前記符号化ユニットを再構築するステップと
を備えたことを特徴とする方法。
【請求項１６】
前記一連のカラーインデックスは、前記パレットテーブルの主色に前記符号化ユニットの１つまたは複数の画素をマッピングするカラーインデックスを含むことを特徴とする請求項１５に記載の方法。
【請求項１７】
前記パレットインデックスマップによって前記エスケープカラーモードにマッピングされた前記符号化ユニットの前記１つまたは複数の画素についての色は、前記受信されたエスケープカラーパラメータに基づいて再構築されることを特徴とする請求項１５に記載の方法。
【請求項１８】
ビデオデータをパレット復号するビデオ復号デバイスであって、前記ビデオ復号デバイスは、
複数の色のそれぞれの色に対応する複数のカラーインデックスを含むパレットテーブルを受信し、
パレットインデックスマップパラメータを受信し、前記パレットインデックスマップパラメータは、エスケープカラーモードに符号化ユニットの１つまたは複数の画素をマッピングするエスケープカラーインデックスを含む、一連のカラーインデックスを表し、
前記パレットインデックスマップパラメータに基づいて、パレットインデックスマップによって前記エスケープカラーモードにマッピングされた前記符号化ユニットの前記１つまたは複数の画素を決定し、
前記符号化ユニットについての前記パレットインデックスマップパラメータを受信した後、前記エスケープカラーモードにマッピングされた前記符号化ユニットの前記１つまたは複数の画素についての少なくとも１つのエスケープカラー値を示すエスケープカラーパラメータを受信し、
前記受信されたパレットインデックスマップパラメータおよび前記受信されたエスケープカラーパラメータに基づいて、前記符号化ユニットを再構築する
プロセッサを備えたことを特徴とするビデオ復号デバイス。
【請求項１９】
前記パレットインデックスマップによって前記エスケープカラーモードにマッピングされた前記符号化ユニットの前記１つまたは複数の画素についての色は、前記受信されたエスケープカラーパラメータに基づいて再構築されることを特徴とする請求項１８に記載のビデオ復号デバイス。
【請求項２０】
ビデオデータをパレット符号化する方法であって、
複数の色のそれぞれの色に対応する複数のカラーインデックスを含むパレットテーブルを作り出すステップと、
符号化ユニットについてのパレットインデックスマップを作成するステップであって、前記パレットインデックスマップは、一連のカラーインデックスを含み、前記一連の前記カラーインデックスの各々は、前記パレットテーブルにおける複数のインデックスまたはエスケープカラーモードを示すエスケープカラーインデックスのうちの少なくとも１つから取られ、前記一連のカラーインデックスは、主色または前記エスケープカラーモードに前記符号化ユニットの画素を選択的にマッピングする、ステップと、
ビデオビットストリームに前記パレットテーブルを含めるステップと、
前記ビデオビットストリームに、前記符号化ユニットについての前記パレットインデックスマップの前記一連のカラーインデックスを表すパレットインデックスマップパラメータを含めるステップと、
前記ビデオビットストリームに、前記エスケープカラーモードにマッピングされた前記符号化ユニットの画素についてのエスケープカラー値を示すエスケープカラーパラメータを前記パレットインデックスマップパラメータの後に含めるステップと
を備えたことを特徴とする方法。